(57)【要約】【課題】可動部分を有することなく、ゴルフボールへの目線が垂直か否かを容易に確認できる確認機構を備えたパターヘッドの提供を目的とする。【解決手段】パターヘッド１の後側部５に、長さ方向中央の上端部からフェース部３と反対側に延びるプレート状の観察スリット形成部２５と、長さ方向中央個所の下端部からフェース部３と反対側に延びる確認プレート部２７と、を一体的に形成しておく。観察スリット形成部２５には、幅方向中央を通って延びるように観察スリット３１を形成し、確認プレート部２７に、幅方向中央を通って観察スリット３１と平行に延びる確認スリット３５を形成する。確認プレート部２７の表面に、確認スリット３５のヒール部１３側で、それぞれ色が異なる第１のヒール側蛍光テープ４１、第２のヒール側蛍光テープ４３及び第３のヒール側蛍光テープ４５を貼り付けておく。【選択図】図１
2019130398.tif 000002
【特許請求の範囲】
【請求項１】
フェース部を有し、このフェース部にフェースプレートが取り付けられたパターヘッドであって、
前記フェースプレートは、金属製のベースプレート部と、このベースプレート部の表面に設けられた樹脂層と、この樹脂層の表面から前記ベースプレート部に至るまでの深さを有して前記フェースプレートの長さ方向に延びる、前記フェースプレートの高さ方向に複数本設けられたスピン溝と、を備え、
前記スピン溝の前記樹脂層に位置する部分は、表面側に向かってハの字状に広がる断面形状に形成されていることを特徴とするパターヘッド。
【発明の詳細な説明】
【技術分野】
【０００１】
本発明は、目標点を錯覚することなくゴルフボールをパッティングできるように構成したパターヘッド及びパターに関する。
【０００２】
ゴルフボールのパッティングは、ボール打ち出し方向を確かめ、確かめたボール打ち出し方向が正確に目標点を向いていることを確認してから行う必要があるため、ボール打ち出し方向の確認を容易に行えるように構成した種々のパターヘッドが開発されている。例えば、パターヘッドの上面にフェース面と直角となるようにライン状の溝を施したものや、パターヘッドの上面にフェース面と直角となる方向に複数個のゴルフボールを並べて表したものなどが用いられていて、これらのパターヘッドでは、ライン状の溝の延びる方向や表されたゴルフボールの並ぶ方向にゴルフボールが打ち出されることとなるので、ゴルフボールの打ち出し方向を容易に確認することができる。そして、ライン状の溝や並べて表されたゴルフボールが目標点を正確に向いていることを確認してからゴルフボールをパターで打ち出すこととなる。
【０００３】
ライン状の溝や並べて表されたゴルフボールが目標位置を正確に向いていることの確認は、例えばプレイヤーの目線を頭を回転させながらライン状の溝やゴルフボールの並びの延長線に沿って移動させ、この延長線上に目標点が位置していることを確かめることによって行われている。ここでは、プレイヤーの頭の回転は首筋を水平に伸ばしてこの水平な首筋を軸として行わなければならない。図２１に示すように、首筋Ａが水平方向Ｂと角度を有し水平ではない状態で頭Ｃを回転させてゴルフボールＤへの目線Ｅを移動させると、図２２に示すように、プレイヤーの目線Ｅはボール打ち出し方向Ｆから外れるように移動するので（矢印Ｇ参照）、プレイヤーはこの矢印Ｇ方向がパターヘッドＨによるボール打ち出し方向だと錯覚してしまい、目標点Ｉとボール打ち出し方向Ｆとの正確な関係を認識できなくなってしまう。
【０００４】
したがって、ボール打ち出し方向が正確に目標点を向いているかを確認するには、首筋が水平に伸び、ゴルフボールへの目線が垂直となるようにプレイヤーはパターをかまえる必要があるが、常に首筋が水平に伸びるようにパターをかまえるのはかなりの練習量を積んでもアマチュアのプレイヤーには容易なことではない。
【０００５】
そこで、特許文献１には首筋が水平に伸び、ゴルフボールへの目線が垂直となっているか否かを容易に確認できる確認機構を備えたゴルフパターが開示されている。特許文献１では、上下一対のスリット及び揺動薄板をパターヘッドに設けることにより確認機構を構成しているので、パターヘッドを水平に構えるプレイヤーだけでなく、パターヘッドをライ角を持って構えるプレイヤーでも、揺動薄板の側面が見えるか否かにより首筋が水平に伸び、ゴルフボールへの目線が垂直となっているか否かを確認することができる。
【先行技術文献】
【特許文献】
【０００６】
【特許文献１】ＷＯ２０１１／０１９０２４
【発明の概要】
【発明が解決しようとする課題】
【０００７】
ところで、特許文献１の確認機構はプレイヤーがライ角を持ってパターヘッドをかまえても揺動薄板が常に鉛直にぶら下がった状態となることによって機能する。したがって、パターヘッドを傾けても揺動薄板が摩擦力で引っ掛かった状態となってしまわないように、揺動薄板の回転時に作用する摩擦力ができるだけ小さくなるようにしておく必要があるし、揺動薄板の重さもある程度の大きさとしておく必要がある。しかしながら、このように構成すると、パターヘッドに設けた重い揺動薄板がパターヘッドを動かすたびに揺れ動き、揺動薄板の揺れが止まるまでにある程度の時間がかかるので、特許文献1の確認機構を有するパターは必ずしも使いやすいものとはいえない可能性もある。
【０００８】
そこで本発明は、可動部分を有することなく、首筋が水平に伸びてゴルフボールへの目線が垂直となっているか否かを容易に確認できる確認機構を備えたパターヘッド及びこのようなパターヘッドを有するパターの提供を目的とする。
【課題を解決するための手段】
【０００９】
この目的を達成するための本発明のパターヘッドは、フェース部と、このフェース部の反対側の後側部と、前記フェース部及び前記後側部の下側のソール部と、を有し、長さ方向一方側にトウ部が形成され、長さ方向他方側にヒール部が設けられているパターヘッドであって、前記後側部の長さ方向中央位置で前記フェース部と反対側に延びる観察スリットを有して、前記後側部に設けられた観察スリット形成部と、前記観察スリット形成部の下側で前記後側部に設けられた確認部と、前記確認部に設けられた、前記観察スリットと協働する確認標識と、を備え、前記確認標識は、前記観察スリットと前記後側部の長さ方向での位置が同一となるように前記確認部に設けられた、前記観察スリットと同一の幅を有して平行に延びる確認スリットと、前記確認スリットに前記ヒール部側で隣接して前記確認部に設けられた、前記確認スリットと平行に延びる第１のヒール側標識部と、前記第1のヒール側標識部に前記ヒール部側で隣接して前記確認部に設けられた、前記第１のヒール側標識部と平行に延びる第２のヒール側標識部と、を備えているものである。確認部はプレート状に形成できる。
【００１０】
ここでは、パターヘッドを水平（例えばフェース中心を通る鉛直線とソール部のソール面との交点で水平面に接するような状態、ソール面の水平面と接する点の両側の隙間が等しくなるような状態、スコアライン（スピン溝）が水平となるような状態、ソール面に設けられた平面部（確認平面部）が水平となるような状態、あるいはパターヘッドの上端面が水平となるような状態）に構えるプレイヤーの場合、首筋が水平に伸び、目の位置がゴルフボールの真上、すなわちフェース部や後側部の長さ方向中央部の真上にあるときには、観察スリットの両側縁と確認スリットの両側縁とが重なって見えるので、観察スリットを通して確認スリットの幅方向両側の確認部表面側は観察できない。反対に、首筋が傾き、目の位置がゴルフボールの真上にないときには、すなわちゴルフボールよりもヒール部側にあるときには、観察スリットを通して確認スリットの幅方向一方側（トウ部側）の確認部表面側が観察されることとなる。確認スリットのトウ部側が見えていることの確認を容易にするために、確認スリットにトウ部側で隣接するトウ側標識部を確認部に設けておくことができる。トウ側標識部は、確認部の表面に設けられた反射テープ、反射板、蛍光テープ又は蛍光板であることが好ましい。また、パターヘッドをライ角を有して（水平よりもパターヘッドのトウ部側を上げて）かまえるプレイヤーの場合、首筋が水平に伸び、目の位置がゴルフボールの真上、すなわちフェース部や後側部の長さ方向中央部の真上にあるときには、観察スリットを通して確認スリットのヒール部側の確認部表面側が観察されることとなる。しかも、確認スリットのヒール部側の確認部又は確認部表面には第１のヒール側標識部及びこの第1のヒール側標識部の外側の第２のヒール側標識部が設けられているので、プレイヤーの目の位置を正確に把握することが可能となる。すなわち、例えば、小さな特定のライ角でパターヘッドをかまえるプレイヤーの場合、首筋が水平に伸び、目の位置がゴルフボールの真上にあるときには、観察スリットを通して確認スリット及び第１のヒール側標識部のみが観察されることとなり、中程度の特定のライ角でパターヘッドをかまえるプレイヤーの場合、首筋が水平に伸び、目の位置がゴルフボールの真上にあるときには、観察スリットを通して確認スリット、第１のヒール側標識部及び第２のヒール側標識部が観察されることとなり、大きなライ角でパターヘッドをかまえるプレイヤーの場合、首筋が水平に伸び、目の位置がゴルフボールの真上にあるときには、観察スリットを通して第１のヒール側標識部と第２のヒール側標識部のみ観察されることとなるように構成できる。プレイヤーそれぞれは、自己に適したライ角でパターをかまえ、首筋を水平に伸ばし、目をゴルフボールの真上に位置させたときに、観察スリットからどのような姿勢確認パターンが見えるかを予め確認しておくこととなる。
【００１１】
確認標識はさらに、第２のヒール側標識部にヒール部側で隣接して確認プレート部に設けられた、第２のヒール側標識部と平行に延びる第３のヒール側標識部を備えていることが好ましい。ここでは、例えば、非常に大きな特定のライ角でパターヘッドを構えるプレイヤーの場合、首筋が水平に伸び、目の位置がゴルフボールの真上にあるときには、観察スリットを通して第１のヒール側標識部、第２のヒール側標識部及び第３のヒール側標識部が観察されることとなるように構成できる。
【００１２】
第１のヒール側標識部と第２のヒール側標識部とを異なる色のものとすることができる。第１のヒール側標識部を確認部の表面に設けられた反射テープ、反射板、蛍光テープ又は蛍光板とし、第２のヒール側標識部を確認部の表面に設けられた、第１のヒール側標識部と色の異なる反射テープ、反射板、蛍光テープ又は蛍光板とすることができる。また、第３のヒール側標識部を設ける場合には、第２のヒール側標識部と異なる色のものとすることができ、この第３のヒール側標識部を確認部の表面に設けられた、第２のヒール側標識部と色の異なる反射テープ、反射板、蛍光テープ又は蛍光板とすることができる。第１のヒール側標識部、第２のヒール側標識部及び第３のヒール側標識部をそれぞれ、異なる色のものとすることができ、確認部の表面に設けられた色の異なる反射テープ、反射板、蛍光テープ又は蛍光板とすることができる。このように構成することにより、確認部に設けられたヒール側標識部の観察状態を容易に確認することが可能となる。
【００１３】
プレイヤーの首筋の僅かな傾き及び目の位置の僅かなずれも検出できるようにするためには、第１のヒール側標識部（第３のヒール側標識部を設ける場合には第１のヒール側標識部及び第２のヒール側標識部）は幅が狭く形成されていることが必要である。したがって、第１のヒール側標識部（第３のヒール側標識部を設ける場合には第１のヒール側標識部及び第２のヒール側標識部）は観察スリットよりも幅が狭いことが好ましい。
【００１４】
パターヘッドのソール部は全体的に凸状に湾曲するように形成できるが、ソール部の少なくとも長さ方向中央位置で、観察スリット又は確認スリットと平行な確認平面部を形成しておくことが好ましい。この確認平面部は、例えば、パターヘッドを水平に配置したときに水平面に一致するように形成される。このように構成することにより、常にパターヘッドのトウ部と反対側に倒れようとしているシャフトの例えばグリップ先端部を指で押しながら、ソール部の確認平面部が芝面と平行となって芝面に接触するまで、あるいは、さらに芝面から離れるようにパターヘッド又はパターを芝面上で回転させると、ソール部の確認平面部が芝面と平行となって芝面に接触したときに例えばグリップ先端部から指に加わる反力や確認平面部が芝面から離れるように回転し出す際に例えばグリップ先端部から指に加わる反力は、確認平面部が芝面に接触するまでに例えばグリップ先端部から指に加わっていた反力よりも一段大きいので、指に加わる反力の大きさによりこの確認平面部が芝面に接触したときを確認できる。そこで、確認平面部が芝面に接触した状態でパターヘッドの観察スリットを真上から見下ろし、確認標識の見え方を観察すれば、パターヘッドの前後方向での傾き、すなわち芝面の傾きを確認でき、芝面が傾いているか否か、傾いているとするとどちら側に傾斜しているかを把握できる。また、確認スリットのヒール部側では複数のヒール側標識部が形成されているので、それぞれのヒール側標識部の見え方によって、例えばつま先上がりの傾斜の程度を把握できる。シャフトは例えばパターヘッドのトウ部側と反対側に傾斜して上方に延びるように設けられ、例えば炭素繊維やガラス繊維等の繊維強化樹脂材製とすることができる。繊維強化樹脂材製とすることによりシャフトの軽量化を図ることができるが、シャフトが軽量になると確認平面部が芝面と接触したときの反力又は衝撃力の増加率が上昇する。また、トウ側標識部を、確認スリットにトウ部側で隣接して確認部に設けられた、確認スリットと平行に延びる第１のトウ側標識部と、第1のトウ側標識部にトウ部側で隣接して確認部に設けられた、第１のトウ側標識部と平行に延びる第２のトウ側標識部と、を備えるように構成しておけば、トウ側標識部の見え方によって、例えばつま先下がりの傾斜の程度を把握できる。第１のトウ側標識部と第２のトウ側標識部とを異なる色のものとすることができる。第１のトウ側標識部は確認部の表面に設けられた反射テープ、反射板、蛍光テープ又は蛍光板とすることができ、第２のトウ側標識部は確認部の表面に設けられた、第１のトウ側標識部と色の異なる反射テープ、反射板、蛍光テープ又は蛍光板とすることができる。
なお、ソール部の確認平面部が芝面と平行となって芝面に接触したときに例えばグリップ先端部から指に加わる反力あるいは確認平面部が芝面から離れるように回転し出す際に例えばグリップ先端部から指に加わる反力と、確認平面部が芝面に接触するまでに例えばグリップ先端部から指に加わっていた反力との差を大きくし、ソール部の確認平面部が芝面と平行となって芝面に接触したことを確認しやすくするために、ソール面のトウ部側にストッパ突出部材を取り外し可能に設け、このストッパ突出部材の下端部が確認平面部を含んだ仮想平面上に位置するように構成しておいてもよい。
【００１５】
フェース部にはフェースプレートが取り付けられるが、フェースプレートは、金属製のベースプレート部と、このベースプレート部の表面に設けられた樹脂層と、この樹脂層の表面からベースプレート部に至るまでの、すなわちベースプレート部に入り込むまでの深さ（ベースプレート部にも溝は形成される）を有してフェースプレートの長さ方向に延びる、フェースプレートの高さ方向に複数本設けられたスピン溝（スピンライン、スコアライン）と、を備え、スピン溝の樹脂層に位置する部分は表面側に向かってハの字状に広がる断面形状に形成されていることが好ましい。樹脂プレート部によりパッティングの際の衝撃が吸収される。また、スピン溝（スピン溝の内壁面）は、ベースプレート部の開口端から樹脂層の表面側開口端に向かって漸次広がるように傾斜しているので、パッティング時にゴルフボールの表面層は変形して容易にスピン溝内に入り込み、金属製のベースプレート部の開口端縁と当接して強くスピンがかけられた状態で打ち出されることとなる。
ここに記載されたパターヘッドは次の発明に包含される。この発明は、例えば特開２００３−２４４８８号に記載されたような打球感に優れたものでありながら、ゴルフボールに良好な回転力を与えることができるゴルフパターの提供を目的とする。
フェース部を有し、このフェース部にフェースプレートが取り付けられたパターヘッドであって、
前記フェースプレートは、金属製のベースプレート部と、このベースプレート部の表面に設けられた樹脂層と、この樹脂層の表面から前記ベースプレート部に至るまでの深さを有して前記フェースプレートの長さ方向に延びる、前記フェースプレートの高さ方向に複数本設けられたスピン溝と、を備え、
前記スピン溝の前記樹脂層に位置する部分は、表面側に向かってハの字状に広がる断面形状に形成されていることを特徴とするパターヘッド。
このように構成することにより、軟らかい打球感と進行方向のオーバースピンの発生を確保しながらサイドスピンの発生を抑えることが可能となる。
【発明の効果】
【００１６】
本発明によれば、目標点に向かってゴルフボールを正確に打ち出すことが可能なパターヘッド及びパターを提供できる。
【図面の簡単な説明】
【００１７】
【図１】本発明に係るパターヘッドの斜視図である。
【図２】パターヘッドの別の斜視図である。
【図３】パターヘッドのソール部側を示すための斜視図である。
【図４】フェースプレート個所の断面図である。
【図５】パターヘッドを水平にしてパターをかまえるプレイヤーの正しい姿勢を示す図である。
【図６】パターヘッドを水平にして真上から観察スリットを見た場合を示す図である。
【図７】パターヘッドを水平にしてずれた位置から観察スリットを見た場合を示す図である。
【図８】パターヘッドを水平にしてずれた位置から観察スリットを見た場合の確認パターンを示す図である。
【図９】芝面が傾斜している場合の水平に置かれたパターヘッドと芝面との関係を示す図である。
【図１０】パターヘッドにライ角を付けてパターをかまえるプレイヤーの正しい姿勢を示す図である。
【図１１】パターヘッドにライ角を付けてパターをかまえ、真上から観察スリットを見た場合を示す図である。
【図１２】パターヘッドに異なるライ角を付けてパターをかまえ、真上から観察スリットを見た場合のそれぞれの確認パターンを示す図である。
【図１３】芝面が傾斜している場合のライ角を持ったパターヘッドと芝面との関係を示す図である。
【図１４】芝面の傾きを確認する場合を示す図である。
【図１５】芝面がつま先下りの場合に、真上から観察スリットを見たときの確認パターンを示す図である。
【図１６】芝面の傾斜を確認する場合を説明するための図であり、パターヘッドの確認平面図が芝面に接触するようにゴルフクラブを回転させる場合を示す図である。
【図１７】芝面の傾斜を確認する場合を説明するための図であり、パターヘッドの確認平面図が芝面に接触するようにゴルフクラブを回転させた場合を示す図である。
【図１８】ソール面のトウ部側にストッパ突出部材を設けた場合を示す図である。
【図１９】ストッパ突出部材の機能を説明する図である。
【図２０】パターヘッドで使用されているフェースプレートの機能を説明する図である。
【図２１】パターをかまえたときに首筋が水平に伸びていない場合を示す図である。
【図２２】首筋が水平に伸びていない場合の目標点確認ラインを示す図である。
【発明を実施するための形態】
【００１８】
以下、図面を参照して本発明の実施の形態を説明する。
【００１９】
まず、図1乃至図４を参照して本発明に係るパターヘッドの構造について説明する。
【００２０】
パターヘッド１は金属製であり、フェース部３、後側部５、ソール部７及びネック部９を一体的に備え、長さ方向一方側にトウ部１１が形成され、長さ方向他方側にヒール部１３が設けられている。
【００２１】
フェース部３の中央個所には嵌め込み凹部１５が形成され、この嵌め込み凹部１５にはフェースプレート１７が嵌め付けられている。フェースプレート１７は、嵌め込み凹部１５に嵌め付けられた金属製のベースプレート部１９と、このベースプレート部１９の表面上に形成された樹脂層２１（樹脂層２１も嵌め込み凹部１５内に位置している）と、を有し、樹脂層２１の表面とフェース部３の表面とは同一の平面を構成するように形成されている。樹脂層２１の厚みｔは例えば０．０４ｍｍであり、フェースプレート１７全体の厚みは例えば２ｍｍである。フェースプレート１７の表面には全長にわたって延びるスピン溝２３が高さ方向に例えば３．５ｍｍの間隔ｓ（中心同士の間隔、図４参照）をあけて複数本形成されていて、このスピン溝２３は樹脂層２１を越えてベースプレート部１９に達する深さを有している。スピン溝２３は、ベースプレート部１９個所で例えば０．５ｍｍの幅ｗ１と０．０５ｍｍの深さｄを有する断面コ字状に形成されているが、樹脂層２１個所でハの字状に広がって、例えば１．３ｍｍの長さｗ２の表面側底辺、０．５ｍｍの長さｗ１の底部側底辺及び０．０４ｍｍの高さｔを有する等脚台形状の断面形状に形成されている。
【００２２】
後側部５は、フェースプレート１７にほぼ対応する長さ方向中央個所が窪んで形成され、長さ方向中央の上端部からフェース部３と反対側に延びる幅の狭いプレート状の観察スリット形成部２５と、長さ方向中央個所の下端部からフェース部３と反対側に、一旦は同じ幅で短く延び、それから漸次幅が狭くなるように延びる確認プレート部２７と、を一体的に有していて、観察スリット形成部２５の先端部（フェース部３と反対側の端部）と確認プレート部２７の先端部（フェース部３と反対側の端部）とは端面部２９で一体的に接続されている。観察スリット形成部２５には、幅方向中央を通って延びるように、例えば４ｍｍの幅の観察スリット３１が形成され、確認プレート部２７には、観察スリット３１とともに用いてプレイヤーが自身の姿勢を確認するための姿勢確認標識３３が設けられている。
【００２３】
姿勢確認標識３３は、確認プレート部２７の幅方向中央を通って観察スリット３１と平行に延びるように形成された確認スリット３５を有し、この確認スリット３５は観察スリット３１と同一の、例えば４ｍｍの幅を有し、観察スリット３１と長さ方向での形成位置が同一となるように確認プレート部２７に設けられている。姿勢確認標識３３はまた、確認スリット３５のヒール部１３側又はネック部９側（プレイヤー側）で確認プレート部２７の表面に設けられたヒール側標識部３７と、確認スリット３５のトウ部１１側（プレイヤーと反対側）で確認プレート部２７の表面に設けられたトウ側標識部３９と、を有している。ヒール側標識部３７は３本の蛍光テープを有し、この３本の蛍光テープは、確認スリット３５のヒール部１３側の縁に沿って延びるように確認プレート部２７の表面に貼り付けられた橙色の第１のヒール側蛍光テープ４１と、第１のヒール側蛍光テープ４１のヒール部１３側の縁に沿って延びるように確認プレート部２７の表面に貼り付けられた青色の第２のヒール側蛍光テープ４３と、第２のヒール側蛍光テープ４３のヒール部１３側の縁に沿って延びるように確認プレート部２７の表面に貼り付けられた緑色の第３のヒール側蛍光テープ４５と、から構成されている。第１のヒール側蛍光テープ４１は、トウ部１１側の縁が確認スリット３５のヒール部１３側の縁と一致又はほぼ一致するように設けられ、第１のヒール側蛍光テープ４１と第２のヒール側蛍光テープ４３との間、そして第２のヒール側蛍光テープ４３と第３のヒール側蛍光テープ４５との間に隙間があかないように又はほとんどあかないように第２のヒール側蛍光テープ４３及び第３のヒール側蛍光テープ４５は確認プレート部２７に貼り付けられている。第１のヒール側蛍光テープ４１、第２のヒール側蛍光テープ４３及び第３のヒール側蛍光テープ４５は例えば１．６ｍｍの同一の幅を有している。
【００２４】
また、トウ側標識部３９は２本の蛍光テープを有し、この２本の蛍光テープは、確認スリット３５のトウ部１１側の縁に沿って延びるように確認プレート部２７の表面に貼り付けられた橙色の第１のトウ側蛍光テープ４７と、第１のトウ側蛍光テープ４７のトウ部１１側の縁に沿って延びるように確認プレート部２７の表面に貼り付けられた青色の第２のトウ側蛍光テープ４９と、から構成されている。第１のトウ側蛍光テープ４７は、ヒール部１３側の縁が確認スリット３５のトウ部１１側の縁と一致又はほぼ一致するように設けられ、第１のトウ側蛍光テープ４７と第２のトウ側蛍光テープ４９との間に隙間があかないように又はほとんどあかないように第２のトウ側蛍光テープ４９は確認プレート部２７に貼り付けられている。第１のトウ側蛍光テープ４７及び第２のトウ側蛍光テープ４９は例えば１．６ｍｍの同一の幅を有している。
【００２５】
ソール部７のソール面（確認プレート部２７の裏面５１を含む）は全体的に緩やかな湾曲面を形成しているが、確認スリット３５のフェース部３側の周りに確認平面部５３（一点鎖線で囲まれた部分）を有している。
【００２６】
次に、図５乃至図１３を参照してパターヘッド１を用いたパター５５の機能について説明する。パター５５はパターヘッド１のネック部９にシャフト５７を取り付けたものである。このシャフト５７はパターヘッド１のトウ部１１と反対側に傾斜して上方に延びるように設けられていて、パター５５は手や指でシャフト５７を支えていないとパターヘッド１のヒール部１３側を中心として回転して倒れてしまう構成のものである。
【００２７】
図５はパターヘッド１を水平にしてパター５５をかまえるプレイヤーの正しい姿勢を示している。
【００２８】
ここでは、パターヘッド１の確認平面部５３（図６及び図７参照）が芝面Ｊと平行となり、プレイヤーの首筋Ａは水平でゴルフボールＤへの目線Ｅは鉛直方向に向いている。この場合には、図６に示すように、観察スリット３１と確認スリット３５とが目線Ｅの方向で重なっているので、観察スリット３１からは芝面Ｊだけが見えている。ところが、プレイヤーの首筋Ａが傾き、プレイヤーの目の位置がずれて、図7に示すようにゴルフボールＤへの目線Ｅが傾いていると、観察スリット３１からはトウ側標識部３９（通常は第１のトウ側蛍光テープ４７）が見えることとなる（図８参照）。したがって、観察スリット３１からトウ側標識部３９が見えた場合には、プレイヤーの首筋Ａは傾き、プレイヤーの目の位置はずれていることになる。ここでは、プレイヤーの首筋Ａの傾き及び目の位置のずれが大きくなるにしたがって、観察スリット３１から見えている第１のトウ側蛍光テープ４７の幅は大きくなる。なお、パターヘッド１を水平にしてパター５５をかまえるプレイヤーは、芝面Ｊが傾斜している場合、パターヘッド１を芝面Ｊと平行に置くわけではなく、図９に示すように芝面Ｊと角度を持たせて水平にするので、首筋Ａの状態及び目の位置と観察スリット３１からの確認パターンとの関係は芝面Ｊが水平の場合と同様である（図９ａは芝面Ｊがつま先下りの場合を示し、図９ｂは芝面Ｊがつま先上りの場合を示す）。
【００２９】
図１０はパターヘッド１にライ角を付けてパター５５をかまえるプレイヤーの正しい姿勢を示している。
【００３０】
ここでは、パターヘッド１の確認平面部５３（図１１参照）は芝面Ｊと角度を有し、プレイヤーの首筋Ａは水平でゴルフボールＤへの目線Ｅは鉛直方向に向いている。この場合には、図１１に示すように、観察スリット３１と確認スリット３５とは目線Ｅの方向で重ならず、観察スリット３１からはヒール側標識部３７が見えることとなる。ここで、それぞれのプレイヤーが正しいかまえをしたときのヒール側標識部３７の見え方を予め確認しておけば、プレイヤーの首筋Ａが水平で目の位置が正しいか否かを確認できる。例えば、５°のライ角をもってパター５５をかまえるプレイヤーの場合には、パター５５をかまえる姿勢が正しいと、確認スリット３５と第１のヒール側蛍光テープ４１だけが見える（図１２ａ参照）。また、例えば、８°のライ角をもってパター５５をかまえるプレイヤーの場合には、パター５５をかまえる姿勢が正しいと、確認スリット３５、第１のヒール側蛍光テープ４１及び第２のヒール側蛍光テープ４３が見える（図１２ｂ参照）。また、例えば、１３°のライ角をもってパター５５をかまえるプレイヤーの場合には、パター５５をかまえる姿勢が正しいと、第１のヒール側蛍光テープ４１、第２のヒール側蛍光テープ４３及び第３のヒール側蛍光テープ４５が見える（図１２ｃ参照）。そこで、ヒール側標識部３７の見え方によりパター５５のかまえ方が正しいか否かを判断できる。なお、パターヘッド１に自己のライ角を持たせてパター５５をかまえるプレイヤーは、芝面Ｊが傾斜している場合、パターヘッド１を芝面Ｊから自己のライ角だけ傾けて置くわけではなく、図１３に示すように水平方向から自己のライ角だけ傾けるので、首筋Ａの状態及び目の位置と観察スリット３１からの確認パターンとの関係は芝面Ｊが水平の場合と同様である（図１３ａは芝面Ｊがつま先下りの場合を示し、図１３ｂは芝面Ｊがつま先上りの場合を示す）。
【００３１】
なお、図１４（ａ）に示すように、芝面Ｊがつま先下りのときに確認平面部５３が芝面Ｊに沿うようにパターヘッド１を位置させると、パターヘッド１はトウ部１１側が下を向くようにして芝面Ｊ上に置かれることとなる。ここで、プレイヤーが観察スリット３１を真上から見ると、芝面Jの傾斜角度に応じてトウ側標識部３９が観察スリット３１から観察される。図１５は芝面Ｊが８°のつま先下りのときの観察パターンを示し、確認スリット３５、第１のトウ側蛍光テープ４７及び第２のトウ側蛍光テープ４９が見えている。すなわち、観察スリット３１からのトウ側標識部３９の見え方によって芝面Jのつま先下りの程度を把握できる。また、図１４（ｂ）に示すように、芝面Ｊがつま先上がりのときに確認平面部５３が芝面Ｊに沿うようにパターヘッド１を位置させると、パターヘッド１はトウ部１１側が上を向くようにして芝面Ｊ上に置かれることとなる。ここで、プレイヤーが観察スリット３１を真上から見ると、芝面Jの傾斜角度に応じてヒール側標識部３７が観察スリット３１から観察される。芝面Ｊが５°、８°そして１３°のつま先上がりのときの観察パターンはそれぞれ、図１２の（ａ）、（ｂ）及び（ｃ）となる。すなわち、観察スリット３１からのヒール側標識部３７の見え方によって芝面Jのつま先上がりの程度を把握できる。
【００３２】
パターヘッド１の確認平面部５３が芝面Ｊに沿うようにパターヘッド１を位置させ、この状態でプレイヤーが観察スリット３１を真上から観察するためには、確認平面部５３が芝面Ｊに沿うようにパターヘッド１が位置したことをプレイヤーが確認できることが必要である。この確認作業はまず、パターヘッド１のトウ部１１側が芝面Ｊから浮いた状態となるようにパター５５を配置し、パター５５のグリップにパターヘッド１を矢印Ｚ方向に回転させるような力Ｋを指先で加える。ここでは芝面Ｊがつま先下がりとなっているがつま先上がりの場合でも確認作業は同様にして行われる。このときの回転中心点Ｌ（確認平面部５３のヒール部１３側）の周りのモーメントのつりあいは、力Ｋのモーメント及びパターヘッド１の重さＷ２のモーメントの和とシャフトの重さＷ１のモーメントが等しいことである（図１６）。力Ｋを指先で加え続け、パターヘッド１の確認平面部５３が芝面Ｊに沿うまでパターヘッド１を矢印Ｚ方向に回転させたとき、回転中心点Ｍ（確認平面部５３のトウ部１１側の端）の周りのモーメントのつりあいは、力Ｋのモーメントと、シャフトの重さＷ１のモーメント及びパターヘッド１の重さＷ２のモーメントの和とが等しいことである（図１７）。したがって、確認平面部５３が芝面Ｊに沿うようにパターヘッド１が位置したときにはパター５５のグリップから指先に加わる反力はいっきに大きくなるので、プレイヤーは確認平面部５３が芝面Ｊに沿うようにパターヘッド１が位置したことを反力の大きさで確認できる。なお、シャフト５７を炭素繊維強化樹脂材製としてシャフト５７の重さＷ１を小さくすると、確認平面部５３が芝面Ｊと一致する前又は直前の指先に加わる反力に対する、確認平面部５３が芝面Ｊと一致したときに指先に加わる反力の増加率が大きくなる（例えば約１．４倍）。シャフト５７を金属製又はスチール製としてシャフト５７の重さＷ１を大きくすると、確認平面部５３が芝面Ｊと一致する前又は直前の指先に加わる反力に対する、確認平面部５３が芝面Ｊと一致したときに指先に加わる反力の増加率は小さい（例えば約１．２倍）。なお、確認平面部５３が芝面Ｊと一致してからパターヘッド１のヒール部１３が芝面Ｊから持ち上がるようにパターヘッド１を回転させたときに指先に加わる反力は、確認平面部５３が芝面Ｊと一致したときの反力と比較して例えば１０％程度減少する。
【００３３】
図１８はソール面のトウ部１１側にストッパ突出部材５９を取り付けた場合を示す図である。
【００３４】
ストッパ突出部材５９は断面半円形又は蒲鉾形の短い棒状部材であり、外面に全長にわたって形成された取り付け平面６１を有している。ストッパ突出部材５９は、取り付け平面６１をソール面に固定することにより取り付けられているが、ストッパ突出部材５９の取り付けは、例えば両面テープ６３を用いて取り外し可能となるように行なわれる。ストッパ突出部材５９の下端部６５は確認平面部５３を含んだ仮想平面上に位置しているので、図１９に示すように、確認平面部５３が芝面Ｊに沿うようにパターヘッド１を回転させたときにストッパ突出部材５９の下端部６５は芝面Jに当接する。したがって、回転中心点Ｎは、重量Ｗ１やＷ２からより離れたストッパ突出部材５９の下端部６５に移り、確認平面部５３が芝面Ｊと一致したとき、又はさらに回転させる際にパター５５のグリップから指先に加わる反力は一層大きくなる。
【００３５】
図２０はパターヘッド１で使用されているフェースプレート１７の機能を説明する図である。
【００３６】
パッティングの際にはゴルフボールＤの表面層が変形してフェースプレート１７のスピン溝２３内にくい込む。ゴルフボールＤはスピン溝２３の樹脂層２１個所のハの字の傾斜面６７の全体に接触し、スピン溝２３のベースプレート部１９個所に入り込む。ここでは、ベースプレート部１９のスピン溝２３の開口縁部６９がゴルフボールＤの表面層を噛み込むので、矢印Ｘ方向にパターヘッド１を動かすと、ゴルフボールＤはベースプレート部１９のスピン溝２３の下側開口縁部６９に引掛けられて打ち出し方向に回転しながら（矢印Ｙ参照）打ち出されることとなる。
【産業上の利用可能性】
【００３７】
本発明のパターヘッド又はパターは良好な使用感を損なうことなくスコアーの向上に役立つように構成されている。
【符号の説明】
【００３８】
１                パターヘッド
３                フェース部
５                後側部
７                ソール部
９                ネック部
１１                トウ部
１３                ヒール部
２５                観察スリット形成部
２７                確認プレート部
３１                観察スリット
３３                姿勢確認標識
３５                確認スリット
３７                ヒール側標識部
４１                第１のヒール側蛍光テープ
４３                第２のヒール側蛍光テープ
【図１】
2019130398.tif 000003
【図２】
2019130398.tif 000004
【図３】
2019130398.tif 000005
【図４】
2019130398.tif 000006
【図５】
2019130398.tif 000007
【図６】
2019130398.tif 000008
【図７】
2019130398.tif 000009
【図８】
2019130398.tif 000010
【図９】
2019130398.tif 000011
【図１０】
2019130398.tif 000012
【図１１】
2019130398.tif 000013
【図１２】
2019130398.tif 000014
【図１３】
2019130398.tif 000015
【図１４】
2019130398.tif 000016
【図１５】
2019130398.tif 000017
【図１６】
2019130398.tif 000018
【図１７】
2019130398.tif 000019
【図１８】
2019130398.tif 000020
【図１９】
2019130398.tif 000021
【図２０】
2019130398.tif 000022
【図２１】
2019130398.tif 000023
【図２２】
2019130398.tif 000024